(57)【要約】【課題】  通常表示時より低い輝度で表示を行う場合においても、ＰＷＭによって中間調を表示する際、良好なリニアリティが得られるようにする。【解決手段】  通常表示を行う場合、信号電極ドライバは、信号電極から選択行の走査電極に第１の定電流を流す。また、走査電極ドライバは、非選択時電位をＶＣＨ１とする。通常表示時よりも低い輝度で表示を行う場合、信号電極ドライバは、信号電極から選択行の走査電極に、第１の定電流よりも少ない第２の定電流を流す。このとき、信号電極電位は通常表示時より下がるので、非選択時電位も通常表示時よりも低いＶＣＨ２とする。【選択図】  図８
2005181967.tif 000002
【特許請求の範囲】
【請求項１】
複数の走査電極と複数の信号電極との間に有機薄膜が配置された有機ＥＬディスプレイ装置の駆動装置であって、
個々の走査電極を選択しながら走査電極の走査を行う走査電極ドライバと、
発光させるべき画素が存在する信号電極から選択されている走査電極上の有機薄膜に定電流を流す信号電極ドライバとを備え、
信号電極ドライバは、第１の定電流または当該第１の定電流よりも電流値が低い第２の定電流を流し、
走査電極ドライバは、信号電極ドライバが第１の定電流を流す場合、選択した走査電極を選択時電位に設定し、選択していない走査電極を第１の非選択時電位に設定し、信号電極ドライバが第２の定電流を流す場合、選択した走査電極を選択時電位に設定し、選択していない走査電極を第１の非選択時電位よりも低い第２の非選択時電位に設定する
ことを特徴とする有機ＥＬディスプレイ装置の駆動装置。
【請求項２】
走査電極を第１の非選択時電位に設定するための電圧および走査電極を第２の非選択時電位に設定するための電圧を走査電極ドライバに出力する電源回路と、
信号電極ドライバが流す定電流の切り替えおよび電源回路が走査電極ドライバに出力する電圧の切り替えを制御する制御手段とを備え、
制御手段は、信号電極ドライバに第１の定電流を流させる場合、電源回路に走査電極を第１の非選択時電位に設定するための電圧を出力させ、信号電極ドライバに第２の定電流を流させる場合、電源回路に走査電極を第２の非選択時電位に設定するための電圧を出力させ、
走査電極ドライバは、電源回路が出力する電圧に応じて、選択していない走査電極の電位を第１の非選択時電位または第２の非選択時電位に設定する
請求項１に記載の有機ＥＬディスプレイ装置の駆動装置。
【請求項３】
一方の電極が一定電圧に接続されたコンデンサと、
各走査電極の選択期間内であって、第１の定電流または第２の定電流が流される信号電極の電位変化が収まっているときに、前記信号電極のうちの少なくとも１本と前記コンデンサの他方の電極とを接続させ、前記他方の電極に接続させた信号電極の電位に応じた電荷を前記コンデンサに蓄積させる接続手段とを備え、
前記コンデンサは、蓄積された電荷に応じた電圧を走査電極ドライバに出力し、
走査電極ドライバは、前記コンデンサが出力する電圧に応じて、選択していない走査電極の電位を第１の非選択時電位または第２の非選択時電位に設定する
請求項１に記載の有機ＥＬディスプレイ装置の駆動装置。
【請求項４】
信号電極ドライバは、信号電極に流す定電流の電流値に応じて線形に変化する電圧を出力する電圧出力手段を含み、
走査電極ドライバは、電圧出力手段が出力する電圧に応じて、選択していない走査電極の電位を第１の非選択時電位または第２の非選択時電位に設定する
請求項１に記載の有機ＥＬディスプレイ装置の駆動装置。
【請求項５】
有機薄膜の発光開始電圧をＶｐ［Ｖ］とし、第２の定電流の電流値をＩ２［μＡ］とし、信号電極ドライバによって第２の定電流が流されたときの信号電極の電位をＶｓ２［Ｖ］とし、選択期間の長さをｔ［μｓ］とし、１本の信号電極に存在する画素の容量の和をＣ［ｎＦ］とし、選択時電位をＶＳＳ［Ｖ］とし、第２の非選択時電位をＶＣＨ２[Ｖ]とした場合、第２の非選択時電位ＶＣＨ２は、
Ｖｓ２−Ｖｐ＜ＶＣＨ２、
ＶＳＳ＋Ｖｐ＜ＶＣＨ２、および
ＶＣＨ２≦Ｖｓ２＋（Ｉ２・ｔ・０．５／Ｃ）・１０−３
という条件を満たしている
請求項１から請求項４のうちのいずれか１項に記載の有機ＥＬディスプレイ装置の駆動装置。
【発明の詳細な説明】
【技術分野】
【０００１】
本発明は、有機ＥＬ(Electroluminescence )ディスプレイ装置の駆動装置に関する。
【背景技術】
【０００２】
有機ＥＬ素子は、陽極と陰極との間に有機薄膜を有する。陰極が陽極よりも高電位となるように両電極間に電圧を印加しても、有機薄膜にはほとんど電流が流れず、有機薄膜は発光しない。逆に、陽極が陰極よりも高電位となるように両極間に所定電圧（発光開始電圧）以上の電圧を印加すると、有機薄膜に電流が流れ、有機薄膜は発光する。この発光を利用した有機ＥＬディスプレイ装置が知られている。
【０００３】
有機ＥＬディスプレイ装置では、例えば、複数の走査電極と複数の信号電極とが、有機薄膜を挟んで直交するように配置される。このような有機ＥＬディスプレイ装置では、各走査電極と各信号電極との交差部分が画素として発光する。また、画素はマトリクス状に配置されることになる。この場合、線順次駆動によって、有機ＥＬディスプレイ装置を駆動する。すなわち、各走査電極を順次選択し、選択行の表示データに応じて信号電極から選択された走査電極に電流を流す。
【０００４】
線順次駆動による有機ＥＬディスプレイ装置の駆動方法として、例えば、特許文献１，２に記載された駆動方法が知られている。特許文献１に記載の駆動方法では、選択行を切り替える際に、全ての走査電極および全ての信号電極を予め定めたリセット電位に設定し、その後、次の行を選択する。図１４は、特許文献１に記載の駆動方法における駆動波形の例を示している。図１４（ａ）に示す実線は第Ｌ行の走査電極の駆動波形であり、図１４（ｂ）に示す実線はその次の行（第Ｌ＋１行）の走査電極の駆動波形である。また、図１４に示す破線は、１本の信号電極の駆動波形である。図１４に示すように、各行は、選択されているときに電位ＶＳＳに設定され、他の行が選択されている期間中には電位ＶＣＨに設定される。ただし、ＶＳＳ＜ＶＣＨの関係が成り立っている。また、発光させるべき画素の信号電極から選択行の走査電極に定電流が流れるように駆動され、その結果、その信号電極の電位は、ＶＳＳより高い電位となる。そして、選択期間終了時から次の選択期間開始時までの間では、各走査電極および各信号電極の電位はリセット電位（図１４に示す例ではＶＳＳ）に設定される。なお、リセット電位は、逆バイアスの電圧印加によって画素に蓄積された電荷を放電させるための電位である。このように駆動することにより、逆バイアスの電圧印加によって画素に蓄積された電荷は放電し、選択期間開始時から画素が発光するまでの立ち上がり時間が短縮化される。逆バイアスとは、信号電極の電位と走査電極の電位との高低関係が、画素を発光させるときとは逆になっていることである。
【０００５】
特許文献２に記載の駆動方法では、選択期間終了時から次の選択期間開始時までの間、各信号電極の電位はリセット電位に設定される。また、この間、それまで選択されていた走査電極の電位はＶＣＨに設定され、他の各走査電極はリセット電位ＶＳＳに設定される。このように駆動することによって、画素が発光するまでの立ち上がり時間を短縮化するとともに有機ＥＬ素子の寿命を長くできる。さらに、特許文献２には、選択期間終了時から次の選択期間開始時までの間、次に選択する走査電極の電位をＶＣＨに設定し、他の各走査電極の電位をリセット電位ＶＳＳにする駆動方法も記載されている。また、選択期間終了時から次の選択期間開始時までの間、それまで選択されていた走査電極および次に選択する走査電極の電位をＶＣＨに設定し、他の各走査電極の電位をリセット電位ＶＳＳに設定する駆動方法も記載されている。
【０００６】
また、有機ＥＬディスプレイ装置において中間調を表示する場合がある。中間調の表示方法として、パルス幅変調方式（ＰＷＭ：Pulse Width Modulation）が知られている。ＰＷＭでは、選択期間における画素の発光時間の割合（信号電極から選択行の走査電極に定電流を流す時間の割合）を変化させることで、階調を変化させる。
【０００７】
また、特許文献３には、通常時に定電流源駆動電圧を信号電極に出力し、外部から最低輝度での表示が設定されたときには定電流源駆動電圧より低い電圧を信号電極に出力する表示パネル駆動装置が記載されている。
【０００８】
【特許文献１】特開平９−２３２０７４号公報（第２−７頁、第１−１５図）
【特許文献２】特開２００３−２９５８２３号公報（第４−９頁、図１−１０）
【特許文献３】特開２００２−９１３７８号公報（段落００１４−００２４、図１−３）
【発明の開示】
【発明が解決しようとする課題】
【０００９】
車載用ナビゲーションシステムの表示装置等では、周囲が明るいときに高輝度で画像を表示し、周囲が暗いときには低輝度で画像を表示するように切り替える。このような切り替えにおいて、高輝度での表示を通常表示と記すことにする。また、低輝度での表示をディミング表示と記すことにする。なお、通常表示の場合も、ディミング表示の場合も、それぞれＰＷＭによって中間調を表示することができる。
【００１０】
ディミング表示に切り替える場合、有機ＥＬ素子に流れる定電流値を下げればよい。定電流値を下げることにより、ディミング表示時における信号電極の電位は、通常表示時よりも低くなる。図１４に示す駆動波形は、通常表示時における駆動波形であるものとする。図１５は、特許文献１に記載の駆動方法において、定電流値を下げてディミング表示に切り替えた場合の駆動波形の例を示す。図１５（ａ），（ｂ）に示す実線は、図１４（ａ），（ｂ）に示す実線と同様に、それぞれ第Ｌ行、第Ｌ＋１行の走査電極の駆動波形を示している。また、図１５に示す破線は、図１４に示す破線と同様に、１本の信号電極の駆動波形を示している。ディミング表示時（図１５）における信号電極の電位は、通常表示時（図１４）における信号電極の電位よりも低くなる。
【００１１】
ディミング表示に切り替えた結果、信号電極の電位が低くなると、信号電極電位と選択されていない走査電極の電位ＶＣＨとの電位差が大きくなってしまう。この場合、選択期間開始時における信号電極の電位が、本来設定されるべき電位よりも高くなってしまい、その後、本来の電位まで下がっていくという現象が生じる（図１５参照。）。この理由について説明する。選択期間の開始直前には、各走査電極および各信号電極はいずれもリセット電位（本例ではＶＳＳ）に設定されている。このとき、１本の信号電極と各走査電極との電位差は０Ｖである。この後、選択期間が開始されると、選択行以外の各走査電極の電位はＶＣＨに設定され、信号電極はＶＣＨよりも低い電位に設定される。しかし、１本の信号電極は、各走査電極とともにキャパシタを形成している状態にあり、選択期間の開始直前における電位差が０Ｖであったため、信号電極に電位を設定しても、信号電極の電位は、ＶＣＨに近づくような値になってしまう。従って、信号電極の電位は、選択期間開始時には本来設定されるべき電位より高くなってしまい、その後本来の電位に下がるという現象が生じてしまう。この現象は、選択期間における信号電極の電位と電位ＶＣＨとの差が大きいほど、顕著に現れる。
【００１２】
このように選択期間中に信号電極の電位が変化すると、ＰＷＭによって中間調を表示する際、良好なリニアリティが得られなくなってしまう。すなわち、各階調間の輝度の変化の仕方が一定にならずに、良好な表示品位を保てなくなってしまう。この問題は、特許文献１に記載された駆動方法の場合だけでなく、特許文献２に記載された駆動方法においても生じる。
【００１３】
そこで、本発明は、ディミング表示時においても、ＰＷＭによって中間調を表示する際、良好なリニアリティが得られるようにすることを目的とする。
【課題を解決するための手段】
【００１４】
本発明の態様１は、複数の走査電極と複数の信号電極との間に有機薄膜が配置された有機ＥＬディスプレイ装置の駆動装置であって、個々の走査電極を選択しながら走査電極の走査を行う走査電極ドライバと、発光させるべき画素が存在する信号電極から選択されている走査電極上の有機薄膜に定電流を流す信号電極ドライバとを備え、信号電極ドライバが、第１の定電流または当該第１の定電流よりも電流値が低い第２の定電流を流し、走査電極ドライバが、信号電極ドライバが第１の定電流を流す場合、選択した走査電極を選択時電位に設定し、選択していない走査電極を第１の非選択時電位に設定し、信号電極ドライバが第２の定電流を流す場合、選択した走査電極を選択時電位に設定し、選択していない走査電極を第１の非選択時電位よりも低い第２の非選択時電位に設定することを特徴とする有機ＥＬディスプレイ装置の駆動装置を提供する。
【００１５】
本発明の態様２は、態様１において、走査電極を第１の非選択時電位に設定するための電圧および走査電極を第２の非選択時電位に設定するための電圧を走査電極ドライバに出力する電源回路と、信号電極ドライバが流す定電流の切り替えおよび電源回路が走査電極ドライバに出力する電圧の切り替えを制御する制御手段とを備え、制御手段が、信号電極ドライバに第１の定電流を流させる場合、電源回路に走査電極を第１の非選択時電位に設定するための電圧を出力させ、信号電極ドライバに第２の定電流を流させる場合、電源回路に走査電極を第２の非選択時電位に設定するための電圧を出力させ、走査電極ドライバが、電源回路が出力する電圧に応じて、選択していない走査電極の電位を第１の非選択時電位または第２の非選択時電位に設定する有機ＥＬディスプレイ装置の駆動装置を提供する。
【００１６】
本発明の態様３は、態様１において、一方の電極が一定電圧に接続されたコンデンサと、各走査電極の選択期間内であって、第１の定電流または第２の定電流が流される信号電極の電位変化が収まっているときに、その信号電極のうちの少なくとも１本とコンデンサの他方の電極とを接続させ、その他方の電極に接続させた信号電極の電位に応じた電荷をコンデンサに蓄積させる接続手段とを備え、コンデンサが、蓄積された電荷に応じた電圧を走査電極ドライバに出力し、走査電極ドライバが、コンデンサが出力する電圧に応じて、選択していない走査電極の電位を第１の非選択時電位または第２の非選択時電位に設定する有機ＥＬディスプレイ装置の駆動装置を提供する。
【００１７】
本発明の態様４は、態様１において、信号電極ドライバが、信号電極に流す定電流の電流値に応じて線形に変化する電圧を出力する電圧出力手段を含み、走査電極ドライバが、電圧出力手段が出力する電圧に応じて、選択していない走査電極の電位を第１の非選択時電位または第２の非選択時電位に設定する有機ＥＬディスプレイ装置の駆動装置を提供する。
【００１８】
本発明の態様５は、態様１から態様４のいずれかにおいて、有機薄膜の発光開始電圧をＶｐ［Ｖ］とし、第２の定電流の電流値をＩ２［μＡ］とし、信号電極ドライバによって第２の定電流が流されたときの信号電極の電位をＶｓ２［Ｖ］とし、選択期間の長さをｔ［μｓ］とし、１本の信号電極に存在する画素の容量の和をＣ［ｎＦ］とし、選択時電位をＶＳＳ［Ｖ］とし、第２の非選択時電位をＶＣＨ２[Ｖ]とした場合、第２の非選択時電位ＶＣＨ２は、Ｖｓ２−Ｖｐ＜ＶＣＨ２、ＶＳＳ＋Ｖｐ＜ＶＣＨ２、およびＶＣＨ２≦Ｖｓ２＋（Ｉ２・ｔ・０．５／Ｃ）・１０−３という条件を満たしている有機ＥＬディスプレイ装置の駆動装置を提供する。
【発明の効果】
【００１９】
請求項１から請求項４に記載の有機ＥＬディスプレイ装置の駆動装置によれば、第２の定電流が流される信号電極の電位と、第２の非選択時電位との電位差を小さくすることができる。従って、選択期間開始時に信号電極の電位が本来設定されるべき電位より高くなってしまい、その後本来の電位に下がるという現象を発生しにくくさせることができる。その結果、ＰＷＭで中間調表示を行う際のリニアリティを良好に保つことができる。
【００２０】
請求項５に記載の有機ＥＬディスプレイ装置の駆動装置によれば、ＰＷＭで中間調表示を行う際のリニアリティを良好に保つことができるとともに、非選択行の画素の発光を防止することができ、さらに、選択行の画素をより確実に発光させることができる。
【発明を実施するための最良の形態】
【００２１】
以下、本発明の実施の形態を図面を参照して説明する。なお、以下の説明において、電位および電圧の単位は、特に単位を記さない限り、Ｖ（ボルト）であるものとする。
【００２２】
［実施の形態１］図１は、本発明の第１の実施の形態の有機ＥＬディスプレイ装置の駆動装置の例を示すブロック図である。有機ＥＬ表示ディスプレイ装置（以下、表示パネルと記す。）１は、複数の走査電極（図示略。）と複数の信号電極（図示略。）とを備える。各走査電極と各信号電極とは、有機薄膜を挟んで直交するように配置される。各走査電極と各信号電極との交差部分がそれぞれ画素となる。各画素において、信号電極側から走査電極側に電流が流れることにより、その画素の有機薄膜が発光する。
【００２３】
この表示パネル１は、駆動装置（コントローラ２等を含む駆動装置）に従って、通常表示とディミング表示の双方を行う。また、通常表示時とディミング表示時それぞれにおいて、ＰＷＭによる中間調表示を行う。
【００２４】
以下の説明において、通常表示時に発光画素に流れる定電流を第１の定電流と記す。また、ディミング表示時において発光画素に流れる定電流を第２の定電流と記す。
【００２５】
また、以下の説明において、選択時電位は、選択期間中に選択した走査電極に対して設定する電位である。非選択時電位は、ある走査電極の選択期間中、選択されていない各走査電極に対して設定する電位である。
【００２６】
駆動装置は、コントローラ２と、走査電極ドライバ３と、信号電極ドライバ４と、電源回路５とを備える。コントローラ（制御手段）２は、表示される画像のデータを記憶するメモリ２ａを含んでいる。コントローラ２は、走査電極ドライバ３と、信号電極ドライバ４と、電源回路５とを制御することにより、表示パネル１に画像を表示させる。
【００２７】
また、コントローラ２には、外部ＭＰＵ（Micro Processing Unit）６が接続される。外部ＭＰＵ６は、コントローラ２に対して、通常表示とディミング表示のうちのどちらの表示を実行するのかを指示する。また、外部ＭＰＵ６は、メモリ２ａに記憶される表示データを書き換える処理を行う。
【００２８】
表示データは、個々の画素に対応させて、最高輝度から最低輝度までの各階調のうちのいずれかを示すデータを含んでいる。このように、表示データは、中間調を示す画素のデータを含んでいる。なお、通常表示とディミング表示とを切り替える場合であっても、表示内容を変化させないのであれば、外部ＭＰＵ６は表示データを変化させない。ただし、この場合、表示内容は変化しないが、表示される画像の輝度は変化する。
【００２９】
走査電極ドライバ３は、コントローラ２に従って、個々の走査電極を一本ずつ選択し、選択行および非選択行の走査電極の電位をそれぞれ設定する。そして、各走査電極を選択しながら走査電極を走査していく。各走査電極の電位を設定するための電圧は、電源回路５から供給される。走査電極ドライバ３は、選択行の走査電極を選択時電位（ＶＳＳとする。）に設定する。また、ある走査電極の選択期間中、他の各走査電極の電位を非選択時電位に設定する。ただし、非選択時電位は、通常表示時とディミング表示時とで異なる。通常表示時における非選択時電位をＶＣＨ１とし、ディミング表示時における非選択時電位をＶＣＨ２とする。
【００３０】
信号電極ドライバ４は、コントローラ２および選択行の表示データに従って、選択期間中、発光させるべき画素が存在する信号電極から選択行走査電極に定電流を流す。すなわち、信号電極ドライバ４は、発光させるべき画素が存在する信号電極から選択されている走査電極上の有機薄膜に定電流を流す。ただし、信号電極ドライバ４は、コントローラ２に従って定電流値を切り替える。コントローラ２が通常表示を指示している場合、信号電極ドライバ４は第１の定電流を流す。また、コントローラ２がディミング表示を指示している場合、信号電極ドライバ４は第２の定電流を流す。第２の定電流量は、第１の定電流量よりも少ない。
【００３１】
また、信号電極ドライバ４は、表示データに基づいて画素に定電流を流す時間を調整することにより、中間調を表示する。図２は、信号電極ドライバ４がＰＷＭによって中間調表示を行う状況を示す説明図である。図２（ａ）は、通常表示時において中間調表示を行う状況を示している。図２（ａ）に示すパルスの高さは、第１の定電流を流したときの信号電極の電位を表す。信号電極ドライバ４は、最大階調で表示させる画素に対しては、選択期間の間、第１の定電流を流し続ける。中間調を表示させる画素に対しては、階調に応じた時間だけ第１の定電流を流す。第１の定電流を流す時間を変えることで、各階調を表示することができる。図２（ｂ）は、ディミング表示時において中間調表示を行う状況を示している。第２の定電流量は、第１の定電流量よりも少ないので、図２（ｂ）に示すパルスの高さは図２（ａ）に示すパルスよりも低い。信号電極ドライバ４は、最大階調で表示させる画素に対しては、選択期間の間、第２の定電流を流し続ける。中間調を表示させる画素に対しては、階調に応じた時間だけ第２の定電流を流す。第２の定電流を流す時間を変えることで、ディミング表示時においても各階調を表示することができる。通常、ＰＷＭでは、定電流を流す時間（所望の中間調に応じた時間）が経過した直後に、定電流を流していた信号電極の電位をＶＳＳ（走査電極の選択時電位と等電位）に設定する。
【００３２】
また、走査電極ドライバ３および信号電極ドライバ４は、各走査電極の選択期間終了時から、次の走査電極の選択期間開始時までの間、全ての走査電極および全ての信号電極の電位をリセット電位に設定する。ここでは、リセット電位が選択時電位ＶＳＳと等電位であるものとする。選択期間終了時から次の選択期間開始時までの間、全ての走査電極および全ての信号電極の電位をリセット電位ＶＳＳに設定することにより、画素に蓄積される電荷は放電される。その結果、次の選択期間開始時において、選択期間開始時から画素が発光するまでの立ち上がり時間が短縮化される。
【００３３】
各走査電極をリセット電位に設定する走査電極ドライバ３および各信号電極をリセット電位に設定する信号電極ドライバ４の構成は、公知の構成であってよい。例えば、特許文献１に記載された構成であってもよい。
【００３４】
電源回路５は、走査電極ドライバ３に電圧ＶＳＳを供給し、さらに電圧ＶＣＨ１と電圧ＶＣＨ２との切り替えを行って電圧ＶＣＨ１または電圧ＶＣＨ２供給する。また、信号電極ドライバ４に、電圧ＶＳＳと、信号電極ドライバ用電源電圧ＶＳＨとを供給する。なお、電圧ＶＳＨは、信号電極ドライバ４が備える定電流回路を駆動するための電圧である。従って、各信号電極の電位はＶＳＨとして設定されるわけではない。
【００３５】
電源回路５は、通常表示時には走査電極ドライバ３に電圧ＶＣＨ１を出力し、ディミング表示時には走査電極ドライバ３に電圧ＶＣＨ２を出力する。走査電極ドライバ３は、電源回路５からの電圧出力に応じて、選択されていない走査電極の電位を非選択時電位ＶＣＨ１またはＶＣＨ２に設定する。電源回路５は、出力電圧ＶＣＨ１およびＶＣＨ２の切り替えをコントローラ２に従って行う。
【００３６】
図３は、電源回路５における電圧ＶＣＨ１およびＶＣＨ２の出力部の構成例を示すブロック図である。電源回路５は、電源電圧を分圧する抵抗１１〜１３と、演算増幅器（以下、オペアンプと記す。）１４，１５と、スイッチ１６とを備える。抵抗１１は、電源電圧に接続され、抵抗１３は接地される。抵抗１２は、抵抗１１と抵抗１３との間に配置される。分圧によって抵抗１１，１２間に生じた電圧ＶＣＨ１ｉｎは、ボルテージフォロワ接続されたオペアンプ１４の非反転入力端子に入力される。同様に、分圧によって抵抗１２，１３間に生じた電圧ＶＣＨ２ｉｎは、ボルテージフォロワ接続されたオペアンプ１５の非反転入力端子に入力される。オペアンプ１４，１５は、それぞれ電圧ＶＣＨ１，ＶＣＨ２を出力する。分圧で得られた電圧ＶＣＨ１ｉｎ，ＶＣＨ２ｉｎは、それぞれ電圧ＶＣＨ１，ＶＣＨ２と等しい。
【００３７】
スイッチ１６は、コントローラ２（図３において図示せず。）が出力する切替制御信号に応じて、走査電極ドライバ３に接続される配線１７を、オペアンプ１４の出力端またはオペアンプ１５の出力端に接続させる。切替制御信号は、通常表示かディミング表示かを指示する制御信号である。切替制御信号が通常表示時であることを示している場合、スイッチ１６は、配線１７をオペアンプ１４の出力端に接続させる。この結果、電源回路５から走査電極ドライバ３に電圧ＶＣＨ１が出力される。一方、切替制御信号がディミング表示時であることを示している場合、スイッチ１６は、配線１７をオペアンプ１５の出力端に接続させる。この結果、電源回路５から走査電極ドライバ３に電圧ＶＣＨ２が出力される。
【００３８】
次に、非選択時電位ＶＣＨ１，ＶＣＨ２のとり得る値の範囲について説明する。まず、電位ＶＣＨ２の範囲から説明する。発光開始電圧をＶｐとする。また、信号電極ドライバ４によって信号電極から選択行の走査電極に第２の定電流が流されたときの信号電極電位をＶｓ２とする。図４は、ＶＣＨ２の下限値の説明図である。図４において、実線は走査電極の駆動波形を表し、破線は信号電極の駆動波形を表している。図４（ａ）に示すように、信号電極電位Ｖｓ２より非選択時電位ＶＣＨ２が低いとする。そして、その電位差が発光開始電圧Ｖｐよりも大きいとすると、選択されていない行の画素も発光してしまうことになる。従って、ＶＣＨ２は、Ｖｓ２−ＶＣＨ２＜Ｖｐを満足する値でなければならない。すなわち、Ｖｓ２−Ｖｐ＜ＶＣＨ２が成立している必要がある。また、図４（ｂ）に示すように、ＶＣＨ２−ＶＳＳ≦Ｖｐとなっていると、たとえＶｓ２−Ｖｐ＜ＶＣＨ２が成立していても、選択行が発光しない場合が生じ得る。例えば、Ｖｓ２＝ＶＣＨ２が成立しているときは、選択行の画素は発光しない。従って、ＶＣＨ２−ＶＳＳ＞Ｖｐが成立している必要がある。よって、Ｖｓ２−Ｖｐ＜ＶＣＨ２およびＶＳＳ＋Ｖｐ＜ＶＣＨ２の双方を満足する必要がある。
【００３９】
続いて、ＶＣＨ２の上限について説明する。図１５に示すように、選択期間開始時に信号電極電位が非選択時電位に近づいてしまう場合、選択期間内における輝度は、所望の最高輝度より上昇してしまう。しかし、１選択期間における輝度の上昇量が、所望の最高輝度の０．５倍以内に収まっていれば、ＰＷＭで中間調を表示するときのリニアリティは良好に維持できる。そこで、ＶＣＨ２の上限は以下のように算出することができる。第２の定電流の電流値をＩ２［μＡ］とする。また、選択期間の長さをｔ［μｓ（マイクロ秒）］とする。このとき、選択期間内における供給電荷は、Ｉ２・ｔ・１０−３［ｎＣ］となる。また、各画素は容量を有するが、１本の信号電極に存在する画素の容量の和をＣ［ｎＦ］とする。１選択期間における輝度の上昇量が、所望の最高輝度の０．５倍以内であればよいので、供給される電荷は所望の輝度を得るための電荷よりもＩ２・ｔ・０．５・１０−３［ｎＣ］だけ多くてよい。ここで、「電荷量＝容量・電圧」という関係があるので、Ｖｓ２を基準としたとき、信号電極電位は、（（Ｉ２・ｔ・０．５・１０−３）［ｎＣ］／Ｃ［ｎＦ］）＝（Ｉ２・ｔ・０．５／Ｃ）・１０−３［Ｖ］まで上昇してよい。すなわち、この電位上昇が生じ得るような非選択時電位がＶＣＨ２の上限である。
【００４０】
以上をまとめると、ＶＣＨ２の取り得る範囲は、以下の式１から式３を同時に満足する範囲である。
【００４１】
Ｖｓ２−Ｖｐ＜ＶＣＨ２                                  式１
【００４２】
ＶＳＳ＋Ｖｐ＜ＶＣＨ２                                  式２
【００４３】
ＶＣＨ２≦Ｖｓ２＋（Ｉ２・ｔ・０．５／Ｃ）・１０−３      式３
【００４４】
例えば、ＶＣＨ２＝Ｖｓ２、かつＶＳＳ＋Ｖｐ＜ＶＣＨ２となるように、非選択時電位ＶＣＨ２を定めてもよい。
【００４５】
非選択時電位ＶＣＨ１の範囲も同様に求められる。すなわち、ＶＣＨ１の下限は、Ｖｓ１−Ｖｐ＜ＶＣＨ１と表される。ここで、Ｖｓ１は、信号電極ドライバ４によって信号電極から選択行の走査電極に第１の定電流が流されたときの信号電極電位である。なお、ＶＣＨ２＜ＶＣＨ１であるので、ＶＳＳ＋Ｖｐ＜ＶＣＨ２が成立していれば、ＶＳＳ＋Ｖｐ＜ＶＣＨ１も成立する。また、ＶＣＨ１の上限は、Ｖｓ１＋（Ｉ１・ｔ・０．５／Ｃ）・１０−３と表される。ただし、Ｉ１［μＡ］は、第１の定電流の電流値である。非選択時電位ＶＣＨ１は、上記のような範囲に収まるように定めればよい。以上をまとめると、ＶＣＨ１の取り得る範囲は、以下の式４および式５を同時に満足する範囲である。
【００４６】
Ｖｓ１−Ｖｐ＜ＶＣＨ１                                  式４
【００４７】
ＶＣＨ１≦Ｖｓ１＋（Ｉ１・ｔ・０．５／Ｃ）・１０−３      式５
【００４８】
例えば、ＶＣＨ１＝Ｖｓ１になるように、非選択時電位ＶＣＨ１を定めてもよい。
【００４９】
図５は、コントローラ２が信号電極ドライバ４に出力する制御信号の出力タイミングを示す説明図である。コントローラ２は、１行分の表示データの中から各列のデータを順次取得するタイミングを規定するＣＰ（データ転送用クロックパルス）と、選択する走査電極の切り換えを示すＬＰ（ラッチパルス）とを信号電極ドライバ４に出力する。また、コントローラ２は、信号電極ドライバ４に１行分の表示データ（Ｄａｔａ）を取り込ませる。ＬＰの立ち下がり（ローレベルになるタイミング）からＬＰの立ち上がり（ハイレベルになるタイミング）までが選択期間となる。コントローラ２は、これから選択される行を指定して、メモリにその行の表示データをデータ出力領域にコピーさせる。また、コントローラ２は、選択期間中、信号電極の数と同数のパルス信号としてＣＰを信号電極ドライバ４に出力する。信号電極ドライバ４は、ＣＰの立ち下がりタイミング毎に、データ出力領域にコピーされた１行分の表示データ（Ｄａｔａ）から各画素のデータを１つずつ取得する。この表示データは、次の選択期間に選択される行の表示データである。
【００５０】
信号電極ドライバ４は、選択期間が終了すると、その選択期間内に取得した１行分の表示データに基づいて、次の選択期間中に発光させるべき画素が存在する信号電極を判定するとともに、どの階調で表示するのかを判定する。また、信号電極ドライバ４は、ＬＰがハイレベルになっている間（すなわち、選択期間終了時から次の選択期間の開始までの間）、各信号電極の電位をリセット電位ＶＳＳに設定する。
【００５１】
信号電極ドライバ４は、次の選択期間が開始されると、発光させるべき画素が存在する信号電極に定電流を流す。また、各信号電極において、階調に応じた時間が経過したときに、定電流を停止する。そして、信号電極ドライバ４は、定電流を流していた信号電極の電位をＶＳＳに設定する。
【００５２】
また、図１に示すように、コントローラ２は信号電極ドライバ４に切替制御信号（通常表示かディミング表示かを指示する制御信号）も出力する。コントローラ２は、切替制御信号を出力して、信号電極ドライバ４が流す定電流の切り替えを制御する。信号電極ドライバ４は、切替制御信号によって通常表示を指示されている場合、定電流として第１の定電流を流す。一方、切替制御信号によってディミング表示を指示されている場合、定電流として第２の定電流を流す。
【００５３】
図６は、コントローラ２が走査電極ドライバ３に出力する制御信号の出力タイミングを示す説明図である。コントローラ２は、ＬＰと、１フレームの開始を示すＦＬＭ（ファーストラインマーカ）とを走査電極ドライバ３に出力する。走査電極ドライバ３は、ＦＬＭがハイレベルになると、ＬＰに応じて第１行から各走査電極を順次選択していく。また、信号電極ドライバ４は、ＬＰがハイレベルになっている間（すなわち、選択期間終了時から次の選択期間の開始までの間）、各走査電極の電位をリセット電位ＶＳＳに設定する。
【００５４】
図７および図８は、本発明の駆動装置で表示パネル１を駆動した場合の駆動波形の例を示す説明図である。ただし、図７は、通常表示を維持したままディミング表示に切り替えないときの駆動波形の例を示している。図８は、通常表示からディミング表示に切り替えるときの駆動波形の例を示している。なお、図７および図８は、選択期間中、発光させる画素に定電流を流し続ける場合を例示している。
【００５５】
まず、図７を用いて、通常表示時におけるコントローラ２、走査電極ドライバ３および信号電極ドライバ４の動作について説明する。コントローラ２は、切替制御信号として通常表示を指示する信号（本例ではローレベルとする。）を出力し続けるものとする。この場合、電源回路５は電圧ＶＣＨ１を出力し、非選択時電位としてＶＣＨ１が設定される。
【００５６】
コントローラ２は、第１行からの走査を指示する場合、ＦＬＭをローレベルからハイレベルにする。そして、ＦＬＭがハイレベルになっている間にＬＰをハイレベルに立ち上げ、続いてＬＰをローレベルに戻す。ＦＬＭがハイレベルになっているときにＬＰがローレベルからハイレベルに変化すると、走査電極ドライバ３は、そのタイミングで最終行の選択期間を終了する。また、ＦＬＭがハイレベルになっているときにＬＰがハイレベルからローレベルに変化すると、走査電極ドライバ３は、そのタイミングから第１行の選択期間を開始する。コントローラ２は、第１行の選択期間中にＦＬＭをハイレベルからローレベルにする。
【００５７】
走査電極ドライバ３は、ＦＬＭがハイレベルになっている間にＬＰがハイレベルからローレベルに変化すると、そのタイミングで、第１行走査電極の電位をＶＳＳに設定し、他の各走査電極の電位をＶＣＨ１に設定する。また、信号電極ドライバ４は、直前の選択期間において取得した表示データに基づいて、発光させるべき画素が存在する信号電極から第１行走査電極に定電流を流す。このとき、通常表示が指示されているので、信号電極ドライバは第１の定電流を流す。このときの信号電極電位はＶｓ１である。また、他の各信号電極の電位をＶＳＳに設定することにより、他の各信号電極から第１行走査電極に電流が流れないようにする。この結果、第１の定電流が流された信号電極と第１行走査電極との交差部分の有機薄膜が発光する。なお、Ｖｓ１−Ｖｐ＜ＶＣＨ１を満足するようにＶＣＨ１は定められているので、信号電極から非選択行の走査電極に電流は流れない。
【００５８】
また、第１行の選択期間の間、信号電極ドライバ４は、次に選択される第２行の表示データをメモリ２ａから取得する。
【００５９】
コントローラ２がＬＰをハイレベルに立ち上げると、第１行の選択期間が終了する。ＬＰがハイレベルになっている間、走査電極ドライバ３および信号電極ドライバ４は、それぞれ各走査電極、各信号電極の電位をリセット電位ＶＳＳに設定する。
【００６０】
コントローラ２がＬＰをハイレベルからローレベルに変化させると、走査電極ドライバ３は、そのタイミングで、第２行走査電極の電位をＶＳＳに設定し、他の各走査電極の電位をＶＣＨ１に設定する。また、信号電極ドライバ４は、直前の選択期間において取得した表示データに基づいて、発光させるべき画素が存在する信号電極から第２行走査電極に定電流を流す。このとき、通常表示が指示されているので、信号電極ドライバは第１の定電流を流す。以降、コントローラ２、走査電極ドライバ３および信号電極ドライバ４は、同様の動作を繰り返す。
【００６１】
図７では、通常表示を維持する場合の例を示した。ディミング表示を維持する場合、コントローラ２は、切替制御信号としてディミング表示を指示する信号（本例ではハイレベルとする。）を出力し続ける。この場合、電源回路５は電圧ＶＣＨ２を出力し、非選択時電位としてＶＣＨ２が設定される。また、信号電極ドライバ４は、定電流として第２の定電流を流す。この結果、第２の定電流が流れる信号電極の電位はＶｓ２になる。非選択時電位および第２の定電流が流れる信号電極の電位以外の点に関しては、図７に示す駆動波形と同様の波形となる。
【００６２】
次に、表示の切替を行う場合の動作を図８を用いて説明する。図８に示す例では、コントローラ２が、１フレームの途中で、切替制御信号をローレベル（通常表示）からハイレベル（ディミング表示）に切り替える。なお、コントローラ２は、外部ＭＰＵ６からの指示に応じて切替制御信号を切り替える。
【００６３】
切替制御信号がローレベルのときの駆動波形は、図７に示す駆動波形と同様の波形となる。
【００６４】
コントローラ２は、例えば、ＬＰの立ち上がりのタイミング（選択期間の終了タイミング）にあわせて、切替制御信号を切り替える。
【００６５】
ＬＰの立ち上がりタイミングの後、ＬＰがハイレベルになっている間、走査電極ドライバ３および信号電極ドライバ４は、それぞれ各走査電極、各信号電極の電位をリセット電位ＶＳＳに設定する。この点は、図７に示す駆動波形と同様である。
【００６６】
ＬＰの立ち上がりのタイミングにあわせて切替制御信号が切り替えられた後、コントローラ２がＬＰをローレベルに変化させると、次の選択期間が開始される。このとき、電源回路５のスイッチ１６は、切替制御信号の変化に応じて出力電圧を切り替えている。従って、次の選択期間開始時において、走査電極ドライバ３は、スイッチ１６によって切り替えられた電圧に応じて、非選択時電位を設定する。図８に示す例では、非選択行の走査電極の電位をＶＣＨ２に設定する。また、走査電極ドライバ３は、選択行の走査電極の電位をＶＳＳに設定する。
【００６７】
信号電極ドライバ４は、ディミング表示を指示するように切替制御信号が切り替えられたので、発光させるべき画素が存在する信号電極から選択行の走査電極に第２の定電流を流す。このときの信号電極電位はＶｓ２である。また、他の各信号電極の電位をＶＳＳに設定することにより、他の各信号電極から選択行の走査電極に電流が流れないようにする。この結果、第２の定電流が流された信号電極と第３行走査電極との交差部分の有機薄膜が発光する。なお、Ｖｓ２−Ｖｐ＜ＶＣＨ２を満足するようにＶＣＨ２は定められているので、信号電極から非選択行の走査電極に電流は流れない。
【００６８】
以降、コントローラ２、走査電極ドライバ３および信号電極ドライバ４は、切替制御信号が再び切り替えられるまで、ディミング表示を維持するように動作する。
【００６９】
図８では、通常表示からディミング表示に切り替える場合を例示したが、ディミング表示から通常表示に切り替える場合の動作も同様である。ただし、この場合、非選択時電位はＶＣＨ２からＶＣＨ１に切り替えられる。また、信号電極から選択行の走査電極に流れる定電流は、第２の定電流から第１の定電流に切り替えられる。
【００７０】
本実施の形態によれば、ディミング表示への切り替え時に信号電極から選択行走査電極に流す定電流量を少なくする（第１の定電流から第２の定電流に切り替える）場合、非選択時電位をＶＣＨ１からＶＣＨ２に下げる。この結果、第２の定電流が流れる信号電極電位と非選択時電位との電位差が少なくなる。従って、選択期間開始時に信号電極の電位が本来設定されるべき電位より高くなってしまい、その後本来の電位に下がるという現象を発生しにくくさせることができる。よって、ＰＷＭで中間調表示を行う際のリニアリティを良好に保つことができる。
【００７１】
特に、ＶＣＨ２≧Ｖｓ２＋（Ｉ２・ｔ・０．５／Ｃ）・１０−３となるようにＶＣＨ２を定めることにより、リニアリティを良好に保つことができる。また、Ｖｓ２−Ｖｐ＜ＶＣＨ２となるようにＶＣＨ２を定めることにより、非選択行の画素の発光を防止することができる。さらに、ＶＳＳ＋Ｖｐ＜ＶＣＨ２も満足するようにＶＣＨ２を定めることにより、選択行の画素をより確実に発光させることができる。
【００７２】
［実施の形態２］図９は、本発明の第２の実施の形態の有機ＥＬディスプレイ装置の駆動装置の例を示すブロック図である。表示パネル（有機ＥＬディスプレイ装置）２１は、第１の実施の形態における表示パネル１と同様に、有機薄膜を挟んで直交するように配置される複数の走査電極（図示略。）と複数の信号電極（図示略。）とを備える。ただし、本実施の形態における表示パネル２１は、ダミー画素２１ａを備える。既に説明したように、定電流を流すときの信号電極電位と非選択時電位との電位差が大きいと、信号電極電位が選択期間開始時に本来設定されるべき電位より高くなり、その後本来の電位に下がる。ダミー画素２１ａは、選択期間開始後に定電流を流すときの本来の電位になった信号電極電位をサンプルホールドするために設けられる画素である。
【００７３】
ダミー画素２１ａの表示データは、常に一定である。通常表示時、ディミング表示時それぞれにおいてダミー画素２１ａの輝度は一定になるので、ダミー画素２１ａは表示される画像の構成には寄与しない。そのため、ダミー画素２１ａが存在する箇所は、観察者に視認されないように筐体等に覆われるようにしておくことが好ましい。ただし、通常表示時とディミング表示時とでは、信号電極ドライバ２４から信号電極に流される定電流が異なる。通常表示時にはダミー画素２１ａが存在する信号電極に第１の定電流が流され、ディミング表示時にはダミー画素２１ａが存在する信号電極に第２の定電流が流される。なお、第１の実施の形態と同様、第２の定電流量は、第１の定電流量よりも少ない。
【００７４】
コントローラ２２は、表示データを記憶するメモリ２２ａを備える。そして、第１の実施の形態におけるコントローラ２と同様に、走査電極ドライバ２３にＦＬＭおよびＬＰを出力し、信号電極ドライバ２４にＣＰ，ＬＰおよびＤａｔａを出力して走査電極ドライバ２３および信号電極ドライバ２４を制御する。また、コントローラ２２は、切替制御信号を出力して、信号電極ドライバ４が流す定電流の切り替えを制御する。また、コントローラ２２は、後述するタイミングコントローラ２７に対し、ＣＰおよびＬＰを出力する。
【００７５】
なお、コントローラ２２は、通常表示とディミング表示とを切り替える場合、第１の実施の形態と同様に、例えば、ＬＰの立ち上がりのタイミング（選択期間の終了タイミング）にあわせて切替制御信号を切り替えればよい。
【００７６】
外部ＭＰＵ２６は、第１の実施の形態で示した外部ＭＰＵ６と同様に、コントローラ２２に対して、通常表示とディミング表示のうちのどちらの表示を実行するのかを指示する。コントローラ２２は、外部ＭＰＵ２６からの指示に応じて切替制御信号を切り替える。また、外部ＭＰＵ２６は、メモリ２２ａに記憶される表示データを書き換える処理を行う。ただし、外部ＭＰＵ２６は、ダミー画素２１ａのデータを含む表示データをメモリ２２ａに書き込む。以下の説明では、ダミー画素２１ａのデータとして最大輝度を指示するデータをメモリ２２ａに書き込む場合を例に説明する。
【００７７】
走査電極ドライバ２３は、第１の実施の形態の走査電極ドライバ３と同様の動作を行う。すなわち、選択した走査電極の電位を選択時電位ＶＳＳに設定し、非選択行の走査電極の電位をＶＣＨ１（通常表示時）またはＶＣＨ２（ディミング表示時）に設定する。また、選択期間終了時から次の選択期間開始時までの間、各走査電極の電位をリセット電位（本実施の形態では、選択時電位ＶＳＳと等電位とする。）に設定する。ただし、走査電極ドライバ２３は、電圧ＶＳＳを電源回路２５から供給され、電圧ＶＣＨ１，ＶＣＨ２を後述のオペアンプ３０から供給される。
【００７８】
信号電極ドライバ２４は、第１の実施の形態の信号電極ドライバ４と同様の動作を行う。すなわち、信号電極ドライバ２４は、選択期間中、発光させるべき画素が存在する信号電極から選択されている走査電極上の有機薄膜に定電流を流す。信号電極ドライバ２４は、コントローラ２２から出力される切替制御信号によって通常表示を指示されている場合、第１の定電流を流す。一方、切替制御信号によってディミング表示を指示されている場合、第２の定電流を流す。また、信号電極ドライバ２４は、表示データに基づいて画素に定電流を流す時間を調整することにより、中間調を表示する。ただし、本例では、ダミー画素２１ａの表示データとして、最大輝度を指示するデータが外部ＭＰＵ２６によって指定される。従って、信号電極ドライバ２４は、選択期間全体に渡って、ダミー画素２１ａが存在する信号電極から電流を流し続ける。また、選択期間終了時から次の選択期間開始時までの間、各走査電極の電位をリセット電位ＶＳＳに設定する。
【００７９】
電源回路２５は、第１の実施の形態と同様、信号電極ドライバ２４に電圧ＶＳＳと信号電極ドライバ用電源電圧ＶＳＨとを供給する。また、走査電極ドライバ２３に電圧ＶＳＳを供給する。ただし、電圧ＶＣＨ１，ＶＣＨ２は出力しない。従って、本実施の形態では、コントローラ２２は、電源回路２５に切替制御信号を出力する必要はない。
【００８０】
タイミングコントローラ２７は、コントローラ２２が出力するＬＰおよびＣＰに基づいて、通常表示時とディミング表示時それぞれにおいて、ダミー画素２１ａが設けられる信号電極をコンデンサ２９に接続させる期間を判定する。そして、その期間中、ダミー画素２１ａが設けられる信号電極とコンデンサ２９との接続を指示する信号ＳＨをスイッチ２８に出力する。また、ダミー画素２１ａが設けられる信号電極をコンデンサ２９に接続させる期間は、各走査電極の選択期間内であって、その信号電極の電位の変動が収まっている期間のうちの一部または全部である。なお、コンデンサ２９の一方の電極は一定電圧に接続されていて、電位が一定に保たれている。本例では、コンデンサ２９の一方の電極が接地され、その電極が電位０Ｖに保たれている場合を例に説明する。
【００８１】
スイッチ２８は、ＳＨが入力されている間、ダミー画素２１ａが設けられる信号電極と、コンデンサ２９の接地していない方の電極２９ａとを接続させる。この結果、コンデンサ２９には電荷が蓄積され、接地していない方の電極２９ａの電位は、ダミー画素２１ａが設けられる信号電極と等電位になる。また、スイッチ２８は、ＳＨが入力されていない間、信号電極とコンデンサ２９の電極２９ａとの接続を断とする。
【００８２】
コンデンサ２９に電荷が蓄積されることによってコンデンサの電極間に生じた電圧は、ボルテージフォロワ接続されたオペアンプ３０の非反転入力端子に入力される。オペアンプ３０は、非反転入力端子に入力された電圧と等しい電圧を走査電極ドライバ２３に出力する。このように、コンデンサ２９は、蓄積された電荷に応じた電圧を、オペアンプ３０を介して走査電極ドライバ２３に出力する。走査電極ドライバ２３は、オペアンプ３０が出力した電圧によって、非選択時電位を設定する。
【００８３】
本実施の形態において、接続手段は、タイミングコントローラ２７およびスイッチ２８によって実現される。
【００８４】
図１０は、ダミー画素２１ａが設けられる信号電極をコンデンサ２９（接地されていない方の電極２９ａ）に接続させる期間を示す説明図である。図１０では、通常表示からディミング表示に切り替える場合を例に説明する。通常表示からディミング表示に切り替える場合、コントローラ２２は、ディミング表示を指示する切替制御信号を信号電極ドライバ２４に出力する。信号電極ドライバ２４は、この切替制御信号に基づいて、選択期間中、発光すべき画素が存在する信号電極に第２の定電流を流す。また、表示データには、ダミー画素２１ａの表示データ（最大輝度を指示するデータ）が含まれている。従って、信号電極ドライバ２４は、選択期間中、ダミー画素２１ａが存在する信号電極に、第２の定電流を流し続ける。
【００８５】
このとき、ダミー画素２１ａが存在する信号電極の電位はＶｓ２（信号電極から選択行の走査電極に第２の定電流を流したときの信号電極電位）になるはずである。しかし、本実施の形態では、電源回路２５による非選択時電位の切り替えは行わない。そのため、通常表示からディミング表示に切り替えられた直後の選択期間開始タイミングでは、非選択時電位は、通常表示時の高い電位になっている。そのため、第２の定電流を流すときの信号電極電位と非選択時電位との差が大きくなり、図１０に示すように、信号電極の電位はＶｓ２よりも高い電位となり、その後Ｖｓ２まで下がる。
【００８６】
タイミングコントローラ２７は、信号電極電位がＶｓ２まで下がった状態の期間（電位の変化が収まった状態の期間）において、ＳＨを出力する。図１０に示す例では、選択期間開始後（ＬＰがローレベルになった後）、６４番目のＣＰの立ち下がりタイミングから、１２８番目のＣＰの立ち下がりタイミングまでをＳＨの出力期間としている。スイッチ２８は、この期間中、ダミー画素２１ａが設けられる信号電極と電極２９ａとを接続させるので、電極２９ａの電位はＶｓ２になる。
【００８７】
この結果、コンデンサ２９の電極間の電圧はＶｓ２になり、オペアンプ３０には電圧Ｖｓ２が入力される。そして、オペアンプ３０は電圧Ｖｓ２を出力する。走査電極ドライバ２３は、この出力電圧によって、ディミング表示時における非選択時電位ＶＣＨ２を設定する。
【００８８】
このように、コントローラ２２が切替制御信号を切り替えると、信号電極ドライバ２４がその切替制御信号に従い、発光させるべき画素が存在する信号電極およびダミー画素２１ａが存在する信号電極から選択行に第２の定電流を流す。そして、タイミングコントローラ２７、スイッチ２８およびコンデンサ２９がサンプルホールド回路としての役割を果たし、ダミー画素２１ａが存在する信号電極の電位が電位Ｖｓ２になるタイミングで、電圧Ｖｓ２をオペアンプ３０に入力する。コンデンサ２９にボルテージフォロワ接続されたオペアンプ３０は、電圧Ｖｓ２を走査電極ドライバ２３に出力する。走査電極ドライバ２３は、電圧Ｖｓ２によって非選択時電位ＶＣＨ２を設定するので、ＶＣＨ２＝Ｖｓ２となる。すなわち、コントローラ２２が切替制御信号を切り替えることによって、非選択時電位ＶＣＨ２は、第２の定電流が流れるときの信号電極電位Ｖｓ２と等電位に設定される。
【００８９】
非選択時電位ＶＣＨ２と、第２の定電流を流すときの信号電極電位Ｖｓ２とが等電位になれば、選択期間開始時に第２の定電流を流す信号電極の電位がＶｓ２より高くなることが防止される。そして、第２の定電流を流している間の信号電極電位は一定に保たれる。従って、ＰＷＭによって中間調を表示するときに、良好なリニアリティが得られる。
【００９０】
図１０では、通常表示からディミング表示に切り替えた場合を例に説明した。次に、ディミング表示から通常表示に切り替える場合について説明する。ディミング表示から通常表示に切り替える場合、コントローラ２２は、通常表示を指示する切替制御信号を信号電極ドライバ２４に出力する。信号電極ドライバ２４は、この切替制御信号に基づいて、選択期間中、発光すべき画素が存在する信号電極に第１の定電流を流す。また、表示データには、ダミー画素２１ａの表示データ（最大輝度を指示するデータ）が含まれている。従って、信号電極ドライバ２４は、選択期間中、ダミー画素２１ａが存在する信号電極に、第１の定電流を流し続ける。
【００９１】
このとき、ダミー画素２１ａが存在する信号電極の電位はＶｓ１（信号電極から選択行の走査電極に第１の定電流を流したときの信号電極電位）になるはずである。しかし、本実施の形態では、電源回路２５による非選択時電位の切り替えは行わない。そのため、通常表示からディミング表示に切り替えられた直後の選択期間開始タイミングでは、非選択時電位は、ディミング表示時の低い電位（ＶＣＨ２）になっている。そのため、第１の定電流を流すときの信号電極電位Ｖｓ１と非選択時電位ＶＣＨ２との差が大きくなる。また、このとき、非選択時電位ＶＣＨ２は、信号電極電位Ｖｓ１よりも低い値になっている。この結果、選択期間開始時に、信号電極の電位はＶｓ１よりも低い電位となり、その後Ｖｓ１まで上がる。
【００９２】
タイミングコントローラ２７は、信号電極電位がＶｓ１まで上がった状態の期間（電位の変化が収まった状態の期間）において、ＳＨを出力する。例えば、図１０に示す場合と同様に、選択期間開始後（ＬＰがローレベルになった後）、６４番目のＣＰの立ち下がりタイミングから、１２８番目のＣＰの立ち下がりタイミングまでをＳＨの出力期間とすればよい。スイッチ２８は、ＳＨが出力されている間、ダミー画素２１ａが設けられる信号電極と電極２９ａとを接続させるので、電極２９ａの電位はＶｓ１になる。
【００９３】
この結果、コンデンサ２９の電極間の電圧はＶｓ１になり、オペアンプ３０には電圧Ｖｓ１が入力される。そして、オペアンプ３０は電圧Ｖｓ１を出力する。走査電極ドライバ２３は、この出力電圧によって、通常表示時における非選択時電位ＶＣＨ１を設定する。
【００９４】
このように、コントローラ２２が切替制御信号を切り替えると、信号電極ドライバ２４がその切替制御信号に従い、発光させるべき画素が存在する信号電極およびダミー画素２１ａが存在する信号電極から選択行に第１の定電流を流す。そして、タイミングコントローラ２７、スイッチ２８およびコンデンサ２９がサンプルホールド回路としての役割を果たし、ダミー画素２１ａが存在する信号電極の電位が電位Ｖｓ１になるタイミングで、電圧Ｖｓ１をオペアンプ３０に入力する。コンデンサ２９にボルテージフォロワ接続されたオペアンプ３０は、電圧Ｖｓ１を走査電極ドライバ２３に出力する。走査電極ドライバ２３は、電圧Ｖｓ１によって非選択時電位ＶＣＨ１を設定するので、ＶＣＨ１＝Ｖｓ１となる。すなわち、コントローラ２２が切替制御信号を切り替えることによって、非選択時電位ＶＣＨ１は、第１の定電流が流れるときの信号電極電位Ｖｓ１と等電位に設定される。
【００９５】
非選択時電位ＶＣＨ１と、第１の定電流を流すときの信号電極電位Ｖｓ１とが等電位になれば、選択期間開始時に第１の定電流を流す信号電極の電位がＶｓ１より低くなることが防止される。そして、第１の定電流を流している間の信号電極電位は一定に保たれる。従って、ＰＷＭによって中間調を表示するときに、良好なリニアリティが得られる。
【００９６】
以上の説明では、ダミー画素２１ａの表示データとして、最大輝度を指示するデータを用いる場合を示した。しかし、タイミングコントローラ２７は、信号電極電位の変化が収まってから選択期間終了時までＳＨを出力し続ける必要はない。従って、ダミー画素２１ａの表示データは、信号電極の電位の変化が収まっている期間が得られるデータであればよく、必ずしも最大輝度を指示するデータでなくてもよい。
【００９７】
また、図９では、コンデンサ２９にオペアンプ３０をボルテージフォロワ接続させ、Ｖｓ１＝ＶＣＨ１、Ｖｓ２＝ＶＣＨ２とする場合を示した。オペアンプ３０の代わりに増幅器を設けてもよい。増幅器には、コンデンサ２９から電圧Ｖｓ１またはＶｓ２が入力される。そして、増幅器は、入力された電圧を上昇または下降させて出力する。信号電極ドライバ２３は、増幅器の出力電圧によって非選択時電位を設定する。従って、増幅器の出力電圧の値が、非選択時電位の値となる。
【００９８】
増幅器に電圧Ｖｓ２が入力された場合、増幅器が出力する電圧をＶＣＨ２とする。このＶＣＨ２の取り得る範囲は、第１の実施の形態で説明したＶＣＨ２の取り得る範囲と同様である。すなわち、電圧Ｖｓ２が入力されることによって増幅器が出力し得る電圧ＶＣＨ２の範囲は、式１から式３の条件を同時に満足する範囲である。また、増幅器に電圧Ｖｓ１が入力された場合、増幅器が出力する電圧をＶＣＨ１とする。このＶＣＨ１の取り得る範囲は、第１の実施の形態で説明したＶＣＨ１の取り得る範囲と同様である。すなわち、電圧Ｖｓ１が入力されることによって増幅器が出力し得る電圧ＶＣＨ１の範囲は、式４および式５を同時に満足する範囲である。
【００９９】
ここで、増幅器の出力電圧ＶＣＨ２（ディミング時における非選択時電位ＶＣＨ２）が、増幅器の入力電圧Ｖｓ２（ダミー画素２１ａが設けられた信号電極の電位Ｖｓ２）に対してどれだけ高い値まで許容されるかについて、具体例を示す。
【０１００】
表示パネル１が備える走査電極、信号電極の本数がそれぞれ６４本、２５６本であり、画素数が２５６×６４画素であるとする。また、個々の画素の縦、横の幅がそれぞれ０．３［ｍｍ］であるとする。さらに、画素が有する容量の単位面積当たりの大きさが０．２５［ｎＦ／ｍｍ２］であるとする。また、表示パネル１を駆動する際のフレーム周波数は１００Ｈｚであり、デューティ比（１フレームに対する１本の走査電極が選択される時間の比率）を１／６４とする。さらに、発光効率が３［ｃｄ／Ａ］であり、ディミング表示時において要求される最高輝度が５［ｃｄ／ｍ２］であるものとする。１選択期間における輝度の上昇量が、最高輝度（ここでは５［ｃｄ／ｍ２］）の０．５倍以内に収まっていれば、ＰＷＭで中間調を表示するときのリニアリティは良好に維持できる。
【０１０１】
この場合、１画素が有する容量の大きさは、０．２５［ｎＦ／ｍｍ２］×０．３［ｍｍ］×０．３［ｍｍ］＝２２．５［ｐＦ］となる。１本の信号電極には６４個の画素が存在するので、信号電極１本分の容量は、２２．５［ｐＦ］×６４＝１４４０［ｐＦ］＝１．４４［ｎＦ］となる。
【０１０２】
また、第２の定電流の電流値は、（５［ｃｄ／ｍ２］×６４×０．３［ｍｍ］×０．３［ｍｍ］）／３［ｃｄ／Ａ］＝９．６［μＡ］である。１つの選択期間は、（１［ｓ］／１００［Ｈｚ］）×（１／６４）＝１５６［μｓ］である。
【０１０３】
１つの選択期間内に供給される電荷は、電流と時間（選択期間）との積によって求められる。従って、１つの選択期間内に供給される電荷は、９．６［μＡ］×１５６［μｓ］＝１．４９８［ｎＣ］である。１選択期間における輝度の上昇量が、最高輝度の０．５倍以内に収まっていればよいので、供給される電荷は所望の輝度を得るための電荷１．４９８［ｎＣ］の０．５倍だけ多く供給されてもよい。所望の輝度を得るための電荷よりも多く供給されてよい電荷量は、１．４９８［ｎＣ］×０．５＝０．７４９［ｎＣ］である。また、「電荷量＝容量・電圧」という関係がある。従って、この分だけ多く電荷を供給したとき、信号電極電位は、０．７４９［ｎＣ］／１．４４［ｎＦ］＝５２０［ｍＶ］＝０．５［Ｖ］だけ上昇する。すなわち、信号電極電位の上昇は０．５［Ｖ］まで許容される。従って、本例の場合、ディミング時における非選択時電位ＶＣＨ２は、ダミー画素２１ａが設けられた信号電極の電位Ｖｓ２よりも０．５［Ｖ］だけ高い値まで許容される。
【０１０４】
なお、第２の実施の形態では、ダミー画素２１ａを設け、ダミー画素２１ａが設けられた信号電極の電位変化が収まったときに、その信号電極とコンデンサ２９（接地されていない方の電極２９ａ）とを接続させる構成とした。ダミー画素２１ａを設けずに、観察者に表示される画像を構成する画素が存在する信号電極の電位変化が収まったときに、その信号電極とコンデンサ２９とを接続させる構成としてもよい。ただし、この場合、コンデンサ２９と接続される信号電極は、表示データによって変化する。従って、コントローラ２２は、スイッチ２８に、どの信号電極とコンデンサ２９とを接続すればよいのかを通知する。スイッチ２８は、ＳＨが入力されている間、コントローラ２２から通知された信号電極をコンデンサ２９に接続させればよい。コントローラ２２は、信号電極電位が収まる期間が存在する画素（例えば、選択期間開始後、少なくとも、６４番目のＣＰの立ち下がりタイミングから１２８番目のＣＰの立ち下がりタイミングまで電流が流され続ける画素）を表示データに基づいて判定する。そして、その画素が存在する信号電極をスイッチ２８に通知する。
【０１０５】
なお、第１の定電流または第２の定電流が流される信号電極の電位変化が収まっているときにコンデンサ２９（接地されていない方の電極２９ａ）に接続される信号電極は、少なくとも１本あればよい。従って、ダミー画素２１ａを設ける場合には、ダミー画素２１ａが存在する信号電極が少なくとも１本あればよい。また、ダミー画素２１ａを設けない場合、コントローラ２２は、少なくとも１本の信号電極のコンデンサ２９に接続する旨を、スイッチ２８に通知すればよい。
【０１０６】
［実施の形態３］図１１は、本発明の第３の実施の形態の有機ＥＬディスプレイ装置の駆動装置の例を示すブロック図である。表示パネル（有機ＥＬディスプレイ装置）４１の構成は、第１の実施の形態における表示パネル１と同様の構成である。
【０１０７】
コントローラ４２は、表示データを記憶するメモリ４２ａを備える。そして、第１の実施の形態におけるコントローラ２と同様に、走査電極ドライバ４３にＦＬＭおよびＬＰを出力し、信号電極ドライバ４４にＣＰ，ＬＰおよびＤａｔａを出力して走査電極ドライバ４３および信号電極ドライバ４４を制御する。また、コントローラ４２は、切替制御信号を出力して、信号電極ドライバ４４が流す定電流の切り替えを制御する。なお、コントローラ４２は、通常表示とディミング表示とを切り替える場合、第１の実施の形態と同様に、例えば、ＬＰの立ち上がりのタイミング（選択期間の終了タイミング）にあわせて切替制御信号を切り替えればよい。
【０１０８】
外部ＭＰＵ４６は、第１の実施の形態で示した外部ＭＰＵ６と同様に、コントローラ４２に対して、通常表示とディミング表示のうちのどちらの表示を実行するのかを指示する。コントローラ４２は、外部ＭＰＵ４６からの指示に応じて切替制御信号を切り替える。また、外部ＭＰＵ４６は、メモリ４２ａに記憶される表示データを書き換える処理を行う。
【０１０９】
走査電極ドライバ４３は、第１の実施の形態の走査電極ドライバ３と同様の動作を行う。すなわち、選択した走査電極の電位を選択時電位ＶＳＳに設定し、非選択行の走査電極の電位をＶＣＨ１（通常表示時）またはＶＣＨ２（ディミング表示時）に設定する。また、選択期間終了時から次の選択期間開始時までの間、各走査電極の電位をリセット電位（本実施の形態では、選択時電位ＶＳＳと等電位とする。）に設定する。ただし、走査電極ドライバ４３は、電圧ＶＳＳを電源回路４５から供給され、電圧ＶＣＨ１，ＶＣＨ２を信号電極ドライバ４４から供給される。
【０１１０】
信号電極ドライバ４４は、第１の実施の形態の信号電極ドライバ４と同様の動作を行う。すなわち、信号電極ドライバ４４は、選択期間中、発光させるべき画素が存在する信号電極から選択されている走査電極上の有機薄膜に定電流を流す。信号電極ドライバ４４は、コントローラ４２から出力される切替制御信号によって通常表示を指示されている場合、第１の定電流を流す。一方、切替制御信号によってディミング表示を指示されている場合、第２の定電流を流す。なお、第１の実施の形態と同様、第２の定電流量は、第１の定電流量よりも少ない。また、信号電極ドライバ４４は、表示データに基づいて画素に定電流を流す時間を調整することにより、中間調を表示する。また、選択期間終了時から次の選択期間開始時までの間、各走査電極の電位をリセット電位ＶＳＳに設定する。
【０１１１】
ただし、本実施の形態において、信号電極ドライバ４４は、信号電極に出力する定電流に応じて線形に変化する電圧（すなわち、定電流の電流値を変数とする１次関数として表される電圧）を走査電極ドライバ４３に出力する。ディミング表示時には比較的小さな定電流（第２の定電流）を出力するので、信号電極ドライバ４４は、第２の定電流に応じた電圧ＶＣＨ２を走査電極ドライバ４３に出力する。また、通常表示時には第２の定電流より多い第１の定電流を出力するので、信号電極ドライバ４４は、第１の定電流に応じた電圧ＶＣＨ１を走査電極ドライバ４３に出力する。
【０１１２】
電源回路４５は、第１の実施の形態と同様、信号電極ドライバ４４に、電圧ＶＳＳと、信号電極ドライバ用電源電圧ＶＳＨとを供給する。また、走査電極ドライバ４３に電圧ＶＳＳを供給する。ただし、電圧ＶＣＨ１，ＶＣＨ２は出力しない。従って、本実施の形態では、コントローラ４２は、電源回路４５に切替制御信号を出力する必要はない。
【０１１３】
図１２は、定電流に応じて線形に変化する電圧を出力する信号電極ドライバ４４の構成例を示す説明図である。図１２に示すように、信号電極ドライバ４４は、Ｄ−Ａ変換回路６１を備える。Ｄ−Ａ変換回路６１は、コントローラ４２が出力する切替制御信号に対してＤ−Ａ変換を行う。Ｄ−Ａ変換回路６１は、第１オペアンプ６２の＋端子に接続される。第一オペアンプ６２の出力は、第１トランジスタ６３のベースに接続される。第１トランジスタ６３のエミッタは、第１オペアンプ６２の−端子および第１の抵抗６４に接続される。第１の抵抗６４の他端（第１トランジスタ６３の反対側）は一定電位に保たれる。本例では、第１の抵抗６４の他端が接地され、電位０Ｖに保たれる場合を例に示す。なお、第１の抵抗６４は、信号電極ドライバ４４の外部に設けられる場合が多い。
【０１１４】
また、信号電極ドライバ用電源電圧ＶＳＨが入力される配線６０には、第２の抵抗６５と、複数の第３の抵抗６６が並列に接続される。各第３の抵抗６６の他端（配線６０の反対側）は、それぞれ第２トランジスタ６７のエミッタに入力される。各第３の抵抗６６と各第２トランジスタ６７は、一対一に対応する。第３の抵抗６６の抵抗値はいずれも等しい。また、第２の抵抗６５の他端（配線６０の反対側）は、第１トランジスタのコレクタおよび各第２トランジスタのベースに接続される。
【０１１５】
１つの第２トランジスタを除き、各第２トランジスタのコレクタはそれぞれ信号電極ドライバ４４の出力端から信号電極に定電流を流す。
【０１１６】
信号電極に接続されない第２トランジスタ６６のコレクタは、第４の抵抗６８に接続される。第４の抵抗６８は第５の抵抗６９に直列に接続される。第５の抵抗の他端（第４の抵抗６８の反対側）は、接地された定電圧電源７０に接続される。また、第４の抵抗６８と第５の抵抗６９との接続部分には、ボルテージフォロワ接続された第２オペアンプ７１が接続される。定電圧電源７０の電圧値ＶＬは、発光開始電圧と同程度の電圧である。
【０１１７】
第２トランジスタ６７から第４の抵抗６８に対しても、信号電極に流れる定電流と等しい定電流が流れる。そして、第２オペアンプ７１には、第４の抵抗６８と第５の抵抗６９との接続部分の電圧が入力され、その電圧と等しい電圧を出力する。第２オペアンプ７１が出力する電圧値は、第４の抵抗６８に流される定電流値に対して線形に変化する。また、第２オペアンプ７１が出力する電圧は、走査電極ドライバ４３に供給される。走査電極ドライバ４３は、この電圧によって非選択時電位を設定する。従って、第２オペアンプ７１が出力する電圧の電圧値と非選択時電位の値は等しい。
【０１１８】
図１２に示す構成では、Ｄ−Ａ変換回路６１の出力と、第１の抵抗６４の抵抗値によって、第１トランジスタを流れる定電流値Ｉｒｅｆが決定される。そして、第２の抵抗６５と電流値Ｉｒｅｆとによって、第２の抵抗６５の他端ａ（配線６０の反対側）における電位が決定される。さらに、第２の抵抗６５の他端ａにおける電位と、第３の抵抗６６の抵抗値とによって、信号電極ドライバ４４が信号電極に出力する定電流の電流値が決定される。
【０１１９】
通常表示時とディミング表示時とでは、Ｄ−Ａ変換回路６１に入力される切替制御信号が異なる。従って、Ｄ−Ａ変換回路６１の出力も異なることになる。その結果、通常表示時とディミング表示時とでは、信号電極に出力する定電流の電流値が異なり、通常表示時には第１の定電流が出力され、ディミング表示時には第２の定電流が出力される。
【０１２０】
第４の抵抗６８に第２の定電流が流れるときに第２オペアンプ７１が出力する電圧をＶＣＨ２とする。このＶＣＨ２の取り得る範囲は、第１の実施の形態で説明したＶＣＨ２の取り得る範囲と同様である。すなわち、ＶＣＨ２の取り得る範囲は、第２の定電流の電流値をＩ２、第２の定電流を流すときの信号電極の電位をＶｓ２としたときに、式１から式３を同時に満足する範囲である。
【０１２１】
第４の抵抗６８に第１の定電流が流れるときに第２オペアンプ７１が出力する電圧をＶＣＨ１とする。このＶＣＨ１の取り得る範囲は、第１の実施の形態で説明したＶＣＨ１の取り得る範囲と同様である。すなわち、ＶＣＨ１の取り得る範囲は、第１の定電流の電流値をＩ１、第１の定電流を流すときの信号電極の電位をＶｓ１としたときに、式４および式５を同時に満足する範囲である。
【０１２２】
第４の抵抗６８の抵抗値、第５の抵抗６９の抵抗値および定電圧電源７０の電圧値ＶＬは、電圧ＶＣＨ２が式１から式３を同時に満足する範囲に収まり、電圧ＶＣＨ１が式４および式５を同時に満足する範囲に収まるように定めればよい。
【０１２３】
本実施の形態において、電圧出力手段は、第４の抵抗６８、第５の抵抗６９、定電圧電源７０およびオペアンプ７１によって実現される。
【０１２４】
図１３に示す実線は、信号電極から選択行の走査電極に流す電流（第４の抵抗６８に流す電流と等しい）と、第２オペアンプ７１の出力電圧との関係を示している。図１３に示すように、電流値に対して第２オペアンプ７１の出力電圧は線形に変化する。換言すると、第２オペアンプ７１の出力電圧は、信号電極に流される定電流の電流値の１次関数として表される。第２の定電流（電流値Ｉ２）が流されるとき、第２オペアンプ７１の出力電圧はＶＣＨ２となる。また、第１の定電流（電流値Ｉ１）が流されるとき、第２オペアンプ７１の出力電圧はＶＣＨ１となる。
【０１２５】
また、図１３において破線で表される曲線は、信号電極から選択行の走査電極に流す電流と、その信号電極の電位との関係を示している。図１３に示すように、第２の定電流（電流値Ｉ２）が信号電極から走査電極に流されるとき、その信号電極の電位はＶｓ２となる。また、第１の定電流（電流値Ｉ１）が信号電極から走査電極に流されるとき、その信号電極の電位はＶｓ１となる。
【０１２６】
なお、信号電極から走査電極に電流を流さない場合（電流値を０［Ａ］とする場合）、第２オペアンプ７１の出力電圧はＶＬとなる。
【０１２７】
ディミング表示時に第２の定電流を流すとき、信号電極の電位Ｖｓ２と、非選択時電位ＶＣＨ２との電位差は、図１３に示すように比較的小さい。従って、選択期間開始時に第２の定電流を流す信号電極の電位がＶｓ２より高くなることが防止される。そして、第２の定電流を流している間の信号電極電位はほぼ一定に保たれる。従って、ＰＷＭによって中間調を表示するときに、良好なリニアリティが得られる。
【０１２８】
同様に、通常表示時に第１の定電流を流すとき、信号電極の電位Ｖｓ１と、非選択時電位ＶＣＨ１との電位差は、図１３に示すように比較的小さい。従って、選択期間開始時に第１の定電流を流す信号電極の電位がＶｓ１より高くなることが防止される。そして、第１の定電流を流している間の信号電極電位はほぼ一定に保たれる。従って、ＰＷＭによって中間調を表示するときに、良好なリニアリティが得られる。
【０１２９】
なお、電流値Ｉ１とＩ２の中間値程度の電流を流す場合には、信号電極電位と非選択時電位（第２オペアンプ７１の出力電圧）との差が大きくなる。しかし、通常表示時、ディミング表示時それぞれにおいて、そのような電流を流すことはないので、良好なリニアリティが得られなくなるおそれはない。
【０１３０】
上記の各実施の形態では、選択期間終了時から次の選択期間開始時までの間、各信号電極電位および各走査電極電位をリセット電位に設定する場合を例に説明した。特許文献２に記載されている駆動方法のように、選択期間終了時から次の選択期間開始時までの間、それまで選択していた走査電極の電位を非選択時電位に設定し、他の各走査電極の電位をリセット電位に設定してもよい。あるいは、選択期間終了時から次の選択期間開始時までの間、次に選択する走査電極の電位を非選択時電位に設定し、他の各走査電極の電位をリセット電位に設定してもよい。また、あるいは、選択期間終了時から次の選択期間開始時までの間、それまで選択していた走査電極および次に選択する走査電極の電位を非選択時電位に設定し、他の各走査電極の電位をリセット電位に設定してもよい。
【産業上の利用可能性】
【０１３１】
本発明は、有機ＥＬディスプレイ装置に適用可能であり、特に、高輝度での画像表示と、低輝度での画像表示とをそれぞれ行い、また、高輝度での画像表示および低輝度での画像表示それぞれにおいて中間調を表示する有機ＥＬディスプレイ装置への適用が有用である。例えば、周囲が明るいときに高輝度で画像を表示し、周囲が暗いときには低輝度で画像を表示する車載用ナビゲーションシステムの表示装置等への適用が有用である。
【図面の簡単な説明】
【０１３２】
【図１】本発明の第１の実施の形態の有機ＥＬディスプレイ装置の駆動装置の例を示すブロック図。
【図２】信号電極ドライバがＰＷＭによって中間調表示を行う状況を示す説明図。
【図３】電源回路における電圧ＶＣＨ１およびＶＣＨ２の出力部の構成例を示すブロック図。
【図４】ＶＣＨ２の下限値の説明図。
【図５】コントローラが信号電極ドライバに出力する制御信号の出力タイミングを示す説明図。
【図６】コントローラが走査電極ドライバに出力する制御信号の出力タイミングを示す説明図。
【図７】本発明の駆動装置で表示パネルを駆動した場合の駆動波形の例を示す説明図。
【図８】本発明の駆動装置で表示パネルを駆動した場合の駆動波形の例を示す説明図。
【図９】本発明の第２の実施の形態の有機ＥＬディスプレイ装置の駆動装置の例を示すブロック図。
【図１０】ダミー画素が設けられる信号電極をコンデンサに接続させる期間を示す説明図。
【図１１】本発明の第３の実施の形態の有機ＥＬディスプレイ装置の駆動装置の例を示すブロック図。
【図１２】第３の実施の形態における信号電極ドライバの構成例を示す説明図。
【図１３】信号電極から選択行の走査電極に流す電流と、第２オペアンプの出力電圧との関係を示す説明図。
【図１４】従来の駆動方法における駆動波形の例を示す説明図。
【図１５】従来の駆動方法において、定電流値を下げてディミング表示に切り替えた場合の駆動波形の例を示す説明図。
【符号の説明】
【０１３３】
１  有機ＥＬディスプレイ装置（表示パネル）
２  コントローラ
２ａ  メモリ
３  走査電極ドライバ
４  信号電極ドライバ
５  電源回路
６  外部ＭＰＵ
【図１】
2005181967.tif 000003
【図２】
2005181967.tif 000004
【図３】
2005181967.tif 000005
【図４】
2005181967.tif 000006
【図５】
2005181967.tif 000007
【図６】
2005181967.tif 000008
【図７】
2005181967.tif 000009
【図８】
2005181967.tif 000010
【図９】
2005181967.tif 000011
【図１０】
2005181967.tif 000012
【図１１】
2005181967.tif 000013
【図１２】
2005181967.tif 000014
【図１３】
2005181967.tif 000015
【図１４】
2005181967.tif 000016
【図１５】
2005181967.tif 000017